(57)【要約】      （修正有）【課題】エネルギー消耗を最小化しながら、可視性に優れ、内容を容易に取り替えることのできるエネルギー低減型発光広告ブロックを提供する。【解決手段】エネルギー低減型発光広告ブロックは、平面が開放されたハウジング１００；透明または半透明材質で形成され、平面方向に光の散乱をガイドできるよう、底面に複数個の導光溝２０１が陰刻形成された平板形状で設けられ、ハウジングの内部に挿入された透光部；透光部の一側面に結合されてハウジングの内部に挿入され、透光部の内部に光を照射する発光部；透光部の底面に配置され、発光部で照射された光を反射する反射板；及び底面に透光部を通して散乱される光が透過されて広告できるように広告フィルム５５０が置かれ、ハウジングの開放された平面に結合されるカバー；を含み、透光部は、発光部が結合された一側から他側方向に行くほど、導光溝の密集度が徐々に増加することを特徴とする。【選択図】図２
2020177214.tif 000002
【特許請求の範囲】
【請求項１】
平面が開放されたハウジング；
光が透過できるように透明または半透明材質で形成され、平面方向に光の散乱をガイドすることができるよう、底面に複数個の導光溝が陰刻形成された平板形状で設けられてハウジングの内部に挿入された透光部；
透光部の一側面に結合してハウジングの内部に挿入され、透光部の内部に光を照射する発光部；
透光部の底面に配置され、発光部で照射された光を反射する反射板；及び
底面に透光部を通して散乱される光が透過されて広告できるように広告フィルムが置かれ、ハウジングの開放された平面に結合されるカバー；を含み、
透光部は、発光部が結合された一側から他側方向に行くほど導光溝の密集度が徐々に増加することを特徴とする、エネルギー低減型発光広告ブロック。
【請求項２】
発光部は、
透光部の一側面に沿って離隔配置された複数個の発光素子；
透光部の縁を包むように内側面が開放された額縁の形状で設けられて透光部の縁に結合され、発光素子で発生した熱を外部へ排出させ、透光部の側面を通して漏れる光を透光部の内部に反射する発光フレーム；及び
光が透過されないように不透明な材質で設けられ、発光フレームと透光部の結合部位を水密するように発光フレームと透光部を媒介とする第１シーリング部材；を含む、請求項１に記載のエネルギー低減型発光広告ブロック。
【請求項３】
発光部は、
複数個の発光素子が透光部の一側面に光を照射するように発光フレームの側面に沿って一定間隔離隔して一側の内壁に固定され、発光素子を密封するように発光素子が設けられた発光フレームの内部に充填された第２シーリング部材；をさらに含み、
第２シーリング部材は、光が透過できるように透明で、耐熱温度が発光素子の発熱温度以上の耐熱樹脂であることを特徴とする、請求項２に記載のエネルギー低減型発光広告ブロック。
【請求項４】
透光部は、底面に複数個の導光溝がそれぞれ陰刻された第１透光プレートと第２透光プレートが積層して設けられ、
発光素子は、第１、２透光プレートの側面に同時に光を照射するよう、透光部の高さ方向の中心部に位置することを特徴とする、請求項３に記載のエネルギー低減型発光広告ブロック。
【請求項５】
ハウジングは、平面の枠を成す側壁の上部に陰刻された一つ以上のシーリング溝が形成され、
ハウジングとカバーの間に位置するように各々のシーリング溝に挿入され、ハウジングの内部に収容された透光部及び発光部を水密するリング状の第３シーリング部材；をさらに含む、請求項１に記載のエネルギー低減型発光広告ブロック。
【請求項６】
ハウジングには、相互対向する一対の側壁外周面にそれぞれ結合溝が形成され、
カバーは、
光が透過できるように、透明な材質の第１カバープレート；
透明な材質で設けられ、広告フィルムが挿入されて固定できるように第１カバープレートの底面に離隔配置された第２カバープレート；
第１、２カバープレートの間に配置されて広告フィルムが挿入された内部を密封する第４シーリング部材；及び
積層された第１、２カバープレートの縁を包んで一体で結合し、両側面で下方に延長され、その端部はそれぞれ一対の結合溝にそれぞれ挿入して固定されるように結合溝の方向に折り曲げられた一対の結合突起が形成されたカバーフレーム；を含む、請求項５に記載のエネルギー低減型発光広告ブロック。
【発明の詳細な説明】
【技術分野】
【０００１】
本発明は、広告またはインテリアなどの目的で室内外の底、壁面などに取り付けられる発光広告ブロックに係り、より詳しくは、表示しようとするエネルギー消耗を最小化しながら、可視性に優れ、内容を容易に取り替えることのできるエネルギー低減型発光広告ブロックに関する。
【背景技術】
【０００２】
一般に、可視性が向上するように、発光体が適用されて底または壁面などに埋め立てて使う発光広告ブロックは、冷陰極管ランプ（ＣＣＦＬ）や発光ダイオード（ＬＥＤ）などのような光源を通して板状の透光性プラスチックやアクリル樹脂の材質からなる導光板に光を投射して室内用照明、インテリア、及び広告パネルとして使われている。
【０００３】
図１は、従来一般的発光広告ブロックを説明するための断面図である。
図１に図示されたように、本発明の一実施例による発光広告ブロックは、設けられた発光ダイオードなどの光源１０が実装された基板が設けられた導光板２０の側面に設けられ、導光板２０の底面には所定形状によって複数個の光反射溝２１が形成された構造で設けられる。
【０００４】
ここで、光源１０から導光板２０の内部へ放出された光が反射溝２１によって導光板２０の前面に反射されることで、各種文字または図形などの柄を表現することで、インテリア照明または広告などの機能を行う。
【０００５】
従来の発光広告ブロックは、表現できる色相及び形状に限界があって、最近、導光板の前面に光が透過できる材質で設けられ、その表面に様々な色相、柄などが印刷されたカバーなどを付着して使用する方法が開発された。
【０００６】
しかし、広告など広報しようとする内容が変更された場合、カバーのみ別途変えることが難しく、新しい内容が印刷されたカバーを新たに製作しなければならないところ、費用を増加させる問題点がある。
【０００７】
また、従来の発光広告ブロックは、内部に湿気などによって、広報しようとする内容が損傷を引き起こして広告などの広報効果が低下したり、ショートなどによる火災、感電など安全事故を引き起こす可能性がある問題点を持っていた。
【０００８】
前記背景技術として説明された事項は、本発明の背景に対する理解を増進するためのものに過ぎず、該技術分野における通常の知識を有する者に既に知られている従来技術に該当することを認めるものとして受け入れられてはならない。
【先行技術文献】
【特許文献】
【０００９】
【特許文献１】ＫＲ１０−０９３７７７３Ｂ１（２０１０．０１．１２．）
【発明の概要】
【発明が解決しようとする課題】
【００１０】
本発明は、前記のような問題点を解決するために案出され、視認性及び耐久性を確保するように防水性が向上し、広報内容を容易に変更できるエネルギー低減型発光広告ブロックを提供する。
【００１１】
また、消耗電力を下げながら照度を向上させることができるエネルギー低減型発光広告ブロックを提供する。
【００１２】
本発明が成そうとする技術的課題は、以上で言及した技術的課題に制限されず、言及されていない別の技術的課題は、本発明の記載より当該分野における通常の知識を有する者に明確に理解される。
【課題を解決するための手段】
【００１３】
本発明の一実施例による、エネルギー低減型発光広告ブロックは、平面が開放されたハウジング；光が透過できるように透明または半透明材質で形成され、平面方向に光の散乱をガイドすることができるよう、底面に複数個の導光溝が陰刻形成された平板形状で設けられてハウジングの内部に挿入された透光部；透光部の一側面に結合してハウジングの内部に挿入され、透光部の内部に光を照射する発光部；透光部の底面に配置され、発光部で照射された光を反射する反射板；及び底面に透光部を通して散乱される光が透過されて広告できるように広告フィルムが置かれ、ハウジングの開放された平面に結合されるカバー；を含み、透光部は発光部が結合された一側から他側方向に行くほど導光溝の密集度が徐々に増加することを特徴とする。
【００１４】
発光部は、透光部の一側面に沿って離隔配置された複数個の発光素子；透光部の縁を包むように内側面が開放された額縁の形状で設けられて透光部の縁に結合され、発光素子で発生した熱を外部へ排出させ、透光部の側面を通して漏れる光を透光部の内部に反射する発光フレーム；及び光が透過されないように不透明な材質で設けられ、発光フレームと透光部の結合部位を水密するように発光フレームと透光部を媒介とする第１シーリング部材；を含むことができる。
【００１５】
より好ましくは、本発明の一実施例による発光部は、複数個の発光素子が透光部の一側面に光を照射するように発光フレームの側面に沿って一定間隔離隔して一側の内壁に固定され、発光素子を密封するように発光素子が設けられた発光フレームの内部に充填された第２シーリング部材；をさらに含むことができる。
【００１６】
この時、第２シーリング部材は、光が透過できるように透明で、耐熱温度が発光素子の発熱温度以上の耐熱樹脂であることが好ましい。
本発明において、透光部は底面に複数個の導光溝がそれぞれ陰刻された第１透光プレートと第２透光プレートが積層して設けられてもよく、発光素子は、第１、２透光プレートの側面に同時に光を照射するように、透光部の高さ方向に中心部に位置されることを特徴とすることができる。
【００１７】
より好ましくは、ハウジングは、平面の枠を成す側壁の上部に陰刻された一つ以上のシーリング溝が形成されてもよく、本発明の一実施例によるエネルギー低減型発光広告ブロックは、ハウジングとカバーの間に位置するように各々のシーリング溝に挿入され、ハウジングの内部に収容された透光部、及び発光部を水密するリング状の第３シーリング部材；をさらに含むことができる。
【００１８】
また、ハウジングには、相互対向する一対の側壁外周面にそれぞれ結合溝が形成されてもよい。
【００１９】
この時、カバーは、光が透過できるように、透明な材質の第１カバープレート；透明な材質で設けられ、広告フィルムが挿入されて固定できるように第１カバープレートの底面に離隔配置された第２カバープレート；第１、２カバープレートの間に配置されて広告フィルムが挿入された内部を密封する第４シーリング部材；及び積層された第１、２カバープレートの縁を包んで一体で結合し、両側面で下方に延長され、その端部はそれぞれ一対の結合溝にそれぞれ挿入して固定されるように結合溝の方向に折り曲げられた一対の結合突起が形成されたカバーフレーム；を含むことができる。
【発明の効果】
【００２０】
本発明の実施例によれば、発光溝で光を散乱して使うことで歩行者の目の疲れを最小化し、照度を向上させることができるので、広告フィルムの視認性を向上させて広告効果を極大化し、広告費用を節減することができる効果がある。
【００２１】
また、第１、２シーリング部材を使用して発光素子が水密されるようにし、発光フレームが発光素子で発生する熱を放熱することで発光素子の浸水または劣化などで異常が生じることを防止し、寿命を向上させる効果がある。
【００２２】
また、発光フレームは、透光部の側面に光が漏れることを防ぐことで、エネルギー効率を向上させる効果がある。
【００２３】
また、導光溝が発光素子から遠くなるほど密集度が向上され、光が透光部の平面全域にわたって均一に散乱されるようにすることで、広告フィルムの視認性を向上させ、歩行者の目の疲れを最小化できる効果がある。
【００２４】
また、第４シーリング部材が広告フィルムが挿入される第１、２カバープレートの間を密封して、広告フィルムが湿気などによって視認性が低下することを防ぐことができる効果がある。
【図面の簡単な説明】
【００２５】
【図１】従来の一般的な発光広告ブロックを説明するための断面図。
【図２】本発明の一実施例によるエネルギー低減型発光広告ブロックの分解斜視図。
【図３】本発明の一実施例による導光溝の密集度を説明するための図面。
【図４】本発明の一実施例によるエネルギー低減型発光広告ブロックの側断面図。
【発明を実施するための形態】
【００２６】
以下、添付の図面を参照して本発明の好ましい実施例を詳細に説明するが、本発明が実施例によって制限されたり限定されることではない。ご参考までに、本説明にて同一番号は、実質的に同一要素を示し、このような規則下で別の図面に記載された内容を引用して説明することができ、当業者に自明であると判断したり、繰り返される内容は省略することができる。
【００２７】
本発明は、発光部で照射された光を散乱して、広告フィルムに照射される光の照度を向上しながら全領域にわたって均一な明るさで照射されるようにして広告フィルムの視認性を向上させ、エネルギー消耗を最小化することを特徴とする。
【００２８】
また、広告フィルムの取り替えを容易にし、広告フィルム及び発光素子が水密されるようにすることで、湿気による広告フィルムの視認性が低下することを防止し、発光素子の浸水などによる誤作動及び故障を防止することを特徴とする。
【００２９】
図２は、本発明の一実施例によるエネルギー低減型発光広告ブロックの分解斜視図である。
【００３０】
図２に図示されたように、本発明の一実施例によるエネルギー低減型発光広告ブロックは、ハウジング１００と、ハウジング１００の内部に挿入されて光の散乱をガイドする透光部２００と、透光部２００に光を照射する発光部３００と、透光部２００の底面に結合される反射板４００、及びハウジング１００の開放された平面を選択的に開閉するカバー５００を含む。
【００３１】
ハウジング１００は、側面と底面にそれぞれ発光部３００と反射板４００が結合された透光部２００が挿入されるように内部空間が形成され、平面が開放された艦体形状で設けられる。
【００３２】
この時、ハウジング１００は、使用位置などの設置環境によってスチールまたはプラスチックなど多様な材質で設けられてもよいが、一般に、広告ブロックは歩行者が通行中に広告を認識できるよう、屋外の地面に埋め立てられて設けられる場合が多いため、歩行者の荷重を支えられると同時に、湿気などに対する耐久性に優れる材質で形成されることが好ましい。
【００３３】
また、本発明において、ハウジング１００は平面が開放された六面体の形状で説明しているが、これに限定せずに、適用位置及び設置環境などによって三角柱型、円柱型など様々な形態で設けられてもよい。
【００３４】
図３は、本発明の一実施例による導光溝の密集度を説明するための図面である。
図３に図示されたように、本発明の一実施例による透光部２００は、発光部３００で供給された光を前方に反射させるもので、発光部３００で投射されて一側面に沿って流入された光を前方にガイドするように、底面に複数個の導光溝２０１が陰刻形成された平板形状で設けられる。
【００３５】
この時、導光溝２０１は、半球型または半楕円球型などの形態で透光部２００の底面に陰刻形成される。
【００３６】
ここで、発光部３００から透光部２００の一側面を通して透光部２００の内部に投射された光が導光溝２０１の境界面で散乱されることによって、透光部２００の平面を通して外部へ放出され、その上部に積層される広告フィルム５５０に伝達される。
【００３７】
より好ましくは、本発明の一実施例による透光部２００は、複数個の導光溝２０１が発光部３００が結合して光が供給される一側から他側に行くほど、単位面積当たり密度、つまり、密集度が増加する透光パターンを有するように設けられる。
【００３８】
具体的に、導光溝２０１は透光部２００の平面の全領域で前もって設定された基準照度範囲内で均一に投射されるように発光部３００が設けられた一側面から他側面方向に行くほど、その密集度が徐々に増加するように形成されることが好ましい。
【００３９】
なぜなら、発光部３００で発生して透光部２００の一側面に流入された光は、透光部２００の他側面に行くほど、導光溝２０１によって透光部２００の平面に反射される反射量が徐々に増加することにつれ、相対的に光の強さ、つまり、光度が徐々に減少するため、透光部２００の一側面から他側面方向に密集度に差をつけることで、透光部２００の平面の全域で均一な照度で光が投射されるようにして、歩行者が感じる目の疲れを最小化し、広告フィルム５５０が照度の差などによる歪みの発生を最小化して視認性を向上させることができる効果がある。
【００４０】
また、本発明の一実施例による透光部２００は、一枚で形成されてもよいが、より好ましくは、各々の底面に第１透光プレート２１０と第２透光プレート２２０を積層して設けられ、各々の第１、２透光プレート２１０、２２０の底面には、同一な透光パターンを有するように複数個の導光溝２０１が形成されることが好ましい。
【００４１】
ここで、下部に位置した第２透光プレート２２０で１次散乱された光が上部に積層された第１透光プレート２１０で２次散乱されることにより、透光部２００の平面にもっと均一な照度でもっと柔らかい光を投射させることができる。
【００４２】
この時、第１透光プレート２１０の底面と第２透光プレート２２０の平面は、相互密着して設けられることが好ましい。
【００４３】
一方、反射板４００は、光を反射することができる構成であって、例えば、反射フィルムまたは反射コーティング層などの形態で提供され、第２透光プレート２２０の底面に付着されてもよい。
【００４４】
図４は、本発明の一実施例によるエネルギー低減型発光広告ブロックの側断面図である。
図４に図示されたように、本発明の一実施例による発光部３００は、透光部２００の一側面に設けられて透光部２００の内部に光を照射すると同時に、第１、２透光プレート２１０、２２０の縁をクランピングして密着状態で維持する役目をする。
【００４５】
より具体的に、本発明の一実施例による発光部３００は、透光部２００の一側面に沿って等間隔で離隔配置された複数個の発光素子３１０と、額縁の形態で設けられて積層された第１、２透光プレート２１０、２２０の縁を包んで結合され、一側の内壁に複数個の発光素子３１０が固定される発光フレーム３２０、及び発光フレーム３２０と透光部２００の間を水密する一つ以上の第１シーリング部材３３０を含む。
【００４６】
発光素子３１０は、透光部２００の内部へ供給される光を発生させるための光源であって、冷陰極管ランプ（ＣＣＦＬ）や発光ダイオード（ＬＥＤ）などが使用されてもよいが、発光ダイオード（ＬＥＤ）のようにエネルギー消耗が低いながら、照度に優れる光源を選択して使用することが好ましい。
【００４７】
発光フレーム３２０は、第１、２透光プレート２１０、２２０が積層して備えられた透光部２００の縁を包むように、その断面が「⊂」の形で設けられ、内部に発光素子３１０が設けられる第１領域と、発光素子３１０が設けられていない第２領域に分けされる。
【００４８】
具体的に、発光フレーム３２０の第１領域には、長手方向に透光部２００の一側面に沿って発光素子３１０が離隔配置されるが、この時、発光素子３１０は、その中心部が積層された第１、２透光プレート２１０、２２０の間に位置するように設けられることが好ましい。
【００４９】
ここで、発光素子３１０で発生した光が第１、２透光プレート２１０、２２０の一側面に同時に均一した量の光が供給されるようにして、別途発光素子３１０を要せずに、製造コストを節減し、以後広告のためのエネルギー消耗を最小化することができる効果がある。
【００５０】
この時、本発明の一実施例による発光フレーム３２０は光の反射に有利で、放熱性に優れており、水分などに対する耐腐食性に優れるアルミニウム合金で製造されることが好ましい。
【００５１】
なぜなら、発光フレーム３２０の第１領域は、発光素子３１０で発生する熱を外部へ排出することで発光素子３１０が劣化されたり変更されることを防止しなければならないし、残りの発光フレーム３２０の第２領域は、透光部２００の一側面を通して透光部２００の内部に流入された光が透光部２００を貫いて外部へ放出される光を再び透光部の内部へ反射して発光素子３１０で発生した光の損失を最小化し、広告時のエネルギー消耗を最小化しなければならないためである。
【００５２】
この時、第１シーリング部材３３０は、発光フレーム３２０と透光部２００との間の隙間を密封することで、電気的回路が露出して外部の湿気に弱い発光素子３１０で水分が流入されることを防止し、発光素子３１０の寿命を向上させることができる効果がある。
【００５３】
より好ましくは、本発明の一実施例による発光素子３１０が設けられた発光フレーム３２０の第１領域の内部に充填され、発光素子３１０を発光フレーム３２０の第１領域の内壁に固定しながら、発光素子３１０を２次水密する第２シーリング部材３４０をさらに含んでもよい。
【００５４】
ここで、第１シーリング部材３３０の損傷、摩耗などによって、発光素子が位置した発光フレーム３２０の第１領域の内部に水分が流入されても、第２シーリング部材３４０が発光素子３１０が水分に露出されることを防止することで、発光素子３１０の誤作動及び故障を防止できる効果がある。
【００５５】
この時、第２シーリング部材３４０は、発光素子３１０で発生した光が透過できるように透明な材質で設けられ、発光素子３１０で発生する熱によって変色または変形などが生じないように、耐熱温度が発光素子３１０の発熱温度より高い耐熱樹脂で設けられることが好ましい。
【００５６】
ここで、発光素子３１０で発生した光が透光部２００を通して透光部２００の前面に円滑に透光できるようにすることで、広告の視認性を向上させることができる効果がある。
【００５７】
より好ましくは、ハウジング１００は、平面でその枠を成す側壁の上面の中心部に陰刻された一つ以上のシーリング溝１０１が形成され、本発明の一実施例によるエネルギー低減型発光ブロックは、各々のシーリング溝１０１に挿入されてハウジング１００の内部を水密する第３シーリング部材６００をさらに含んでもよい。
【００５８】
ここで、ハウジング１００の内部に位置する広告フィルム５５０が湿気によって変色または変形されることを防止することができ、発光素子３１０の内部に水分が流入されることを前もって遮断することができて、容易にメインテナンスを行うことができる効果がある。
【００５９】
本発明の一実施例によるカバー５００は、光が透過されるように、透明な材質の第１カバープレート５１０と広告フィルム５５０が挿入されるように、第１カバープレート５１０の底面で離隔配置された第２カバープレート５２０、及び第１、２カバープレート５１０、５２０の間に配置され、広告フィルム５５０が位置する内部を密封するリング状の第４シーリング部材５３０、及び第１、２カバープレート５１０、５２０の縁を包んで一体で結合する額縁形状のカバーフレーム５４０を含んでもよい。
【００６０】
より具体的に、第１、２カバープレート５１０、５２０は、広告フィルム５５０が挿入されて取り替えられるように、縁の中で少なくとも一側面は開口して備えられることが好ましい。
【００６１】
ここで、積層して結合された第１、２カバープレート５１０、５２０の開口された一側面を通して広告フィルム５５０を挿入または取り替えるように構成し、第１、２カバープレート５１０、５２０がそれぞれ広告フィルム５５０の平面及び底面をそれぞれ支持するように構成され、広告フィルム５５０のくずれなど、変形が生じることを防止することができ、広告フィルム５５０を容易に取り替えることができる効果がある。
【００６２】
この時、第４シーリング部材５３０は、第１、２カバープレート５１０、５２０の間で選択的に結合されるように設けられることが好ましいが、その理由は、広告フィルム５５０の取り替え過程は、第４シーリング部材５３０を除去した後、第１、２カバープレート５１０、５２０の間の広告フィルム５５０を取り替え、再び第４シーリング部材５３０を組み立てなければならないところ、容易に着脱できなければならないためである。
【００６３】
より好ましくは、本発明の一実施例によるハウジング１００は、相互対向する一対の両側壁の外周面にそれぞれ結合溝１０２が形成され、カバーフレーム５４０は、その両側面で下方に延長され、端部は各々の結合溝１０２の方向に折り曲げられた一対の結合突起５４１を含んでもよい。
【００６４】
ここで、結合突起５４１が結合溝１０２に沿ってスライドしながら、カバー５００とハウジング１００を組み立て、または分解することができるので、広告フィルム５５０を容易に取り替えることができるし、メインテナンスを円滑にする効果がある。
【００６５】
上述したように、本発明の好ましい実施例を参照して説明したが、当該技術分野における熟練した当業者であれば、下記の請求範囲に記載した本発明の思想及び領域を脱しない範囲内で、本発明を多様に修正及び変更できることを理解することができる。
【符号の説明】
【００６６】
１００：ハウジング                                                               
１０１：シーリング溝
１０２：結合溝                                                                      
２００：透光部
２０１：導光溝                                                                      
２１０：第１透光プレート
２２０：第２透光プレート                                       
３００：発光部
３１０：発光素子                                                                   
３２０：発光フレーム
３３０：第１シーリング部材                                                 
３４０：第２シーリング部材
４００：反射板                                                                      
５００：カバー
５１０：第１カバープレート                                   
５２０：第２カバープレート
５３０：第４シーリング部材                                                 
５４０：カバーフレーム
５４１：結合突起                                                                   
５５０：広告フィルム
６００：第３シーリング部材
【図１】
2020177214.tif 000003
【図２】
2020177214.tif 000004
【図３】
2020177214.tif 000005
【図４】
2020177214.tif 000006